【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
ワイヤレス端末中のアンテナスイッチングを制御するための方法であって、
前記ワイヤレス端末の第1のモデムモジュールによって、第1のアンテナを使用して受信された第1のプロトコルに従う第1の信号を復調するステップと、
前記第1のモデムモジュールによって、前記第1のアンテナを使用して受信された前記第1の信号を復調するステップの第1の性能測定値を決定するステップと、
前記ワイヤレス端末の第2のモデムモジュールによって、第2のアンテナを使用して受信された第2のプロトコルに従う第2の信号を復調するステップと、
前記ワイヤレス端末の制御モジュールによって、前記第2のアンテナと前記第2のモデムモジュールとの間の受信経路を制御して、前記第1のプロトコルに従う前記第1の信号を受信するステップと、
前記第2のモデムモジュールのミラーモジュールによって、前記第2のアンテナを使用して受信された前記第1のプロトコルに従う前記第1の信号を復調するステップの第2の性能測定値を決定するステップと、
前記制御モジュールによって、前記第2の性能測定値が前記第1の性能測定値よりも大きいかどうかを決定するステップと、
前記第2の性能測定値が前記第1の性能測定値よりも大きいことを決定するステップに応答して、前記第1のモデムモジュールが前記第2のアンテナを使用して前記第1のプロトコルに従う前記第1の信号を受信するように、前記制御モジュールによって前記第1のアンテナと前記第2のアンテナをスイッチングするステップと
を含む、方法。
【請求項２】
前記第1の性能測定値が閾値未満であることを決定するステップをさらに含み、前記第2の性能測定値を決定するステップが、前記第1の性能測定値が前記閾値未満であることを決定するステップの後に実施される、請求項1に記載の方法。
【請求項３】
前記第1のモデムモジュールは、GSM(登録商標)プロトコルに従う通信を提供し、
前記第2のモデムモジュールは、WCDMA(登録商標)プロトコルに従う通信を提供する、請求項1に記載の方法。
【請求項４】
第1のアンテナを使用する第1のプロトコルに従う第1の受信信号および第2のアンテナを使用する第2のプロトコルに従う第2の受信信号を受信することと、前記第2のアンテナを使用する前記第1の受信信号および前記第1のアンテナを使用する前記第2の受信信号を受信することとの間でスイッチングするための回路を備えるワイヤレス端末であって、前記回路が、
前記第1のプロトコルに従う前記第1の受信信号を復調するための手段、および前記第1のアンテナを使用して前記第1のプロトコルに従う前記第1の受信信号を復調することの第1の性能測定値を決定するための手段と、
前記第2のプロトコルに従う前記第2の受信信号を復調するための手段であって、前記第2のアンテナを使用して受信された前記第1のプロトコルに従う前記第1の受信信号を復調することの第2の性能測定値を決定するためのミラーモジュールを備える手段と、
前記第2の受信信号を復調するための前記手段が、前記第2のアンテナを使用して前記第1のプロトコルに従う前記第1の受信信号を受信することを可能にするために、前記第2のアンテナと前記第2の受信信号を復調するための前記手段との間の受信経路を制御するための手段、前記ミラーモジュールに前記第2の性能測定値を決定させるための手段、および前記第2の性能測定値が前記第1の性能測定値よりも大きいときに、前記第1のプロトコルに従う前記第1の受信信号が前記第2のアンテナを使用して受信され、前記第2の受信信号が前記第1のアンテナを使用して受信されるように、前記第1のアンテナと前記第2のアンテナのスイッチングを引き起こすための手段を含む、前記ワイヤレス端末の動作を制御するための手段と
を備える、ワイヤレス端末。
【請求項５】
前記ワイヤレス端末の動作を制御するための前記手段が、前記第2の受信信号を復調するための前記手段により提供される通信への影響に基づいて選択されるときに、前記第2の受信信号を復調するための前記手段が前記第1のプロトコルに従う信号を受信することを可能にするために、前記第2のアンテナと前記第2の受信信号を復調するための前記手段との間の前記受信経路を制御するための手段をさらに含む、請求項4に記載のワイヤレス端末。
【請求項６】
前記ミラーモジュールが、無線アクセス技術間ハンドオーバについての測定を実現するようにさらに構成される、請求項4に記載のワイヤレス端末。
【請求項７】
前記ワイヤレス端末の動作を制御するための前記手段が、
前記第1の性能測定値を閾値と比較するための手段と、
前記第1の性能測定値が前記閾値未満であると決定した後、前記ミラーモジュールに前記第2の性能測定値を決定させるための手段と、
前記第2の性能測定値を前記第1の性能測定値と比較するための手段と
をさらに含み、
動作を制御するための前記手段が、前記第2の性能測定値の前記比較が前記第1の性能測定値よりも大きいときに、前記第1のプロトコルに従う前記第1の受信信号が前記第2のアンテナを使用して受信され、前記第2のプロトコルに従う前記第2の受信信号が前記第1のアンテナを使用して受信されるように、前記第1のアンテナと前記第2のアンテナの前記スイッチングを引き起こすようにさらに構成される、請求項4に記載のワイヤレス端末。
【請求項８】
ワイヤレス端末中のアンテナスイッチングを制御するための方法であって、
前記ワイヤレス端末の第1のモデムモジュールによって、第1のアンテナを使用して受信された第1のプロトコルに従う第1の信号を復調するステップと、
前記第1のモデムモジュールによって、前記第1のアンテナを使用して受信された前記第1の信号を復調することの第1の性能測定値を決定するステップと、
前記第1のモデムモジュールのサーチモジュールによって、第2のアンテナを使用して前記第1のプロトコルに従う前記第1の信号を復調することの第2の性能測定値を決定するステップと、
前記ワイヤレス端末の第2のモデムモジュールによって、第2のプロトコルに従う第2の信号を復調するステップと、
第2のモデムに結合され、かつ前記サーチモジュールに結合されたサンプルバッファによって、前記第2のプロトコルに従う前記第2の信号のサンプルを記憶するステップと、
前記第2のモデムの前記サンプルバッファが、前記第2のアンテナを使用して受信された前記第1のプロトコルに従う前記第1の信号のサンプルを記憶するように、前記第1のプロトコルに従う前記第1の信号を受信するために、前記ワイヤレス端末の制御モジュールによって、前記第2のアンテナと前記第2のモデムモジュールとの間の受信経路を制御するステップと、
前記サーチモジュールでの前記サンプルバッファから、前記第1のプロトコルに従う前記第1の信号のサンプルを受信するステップと、
前記第2のアンテナを使用して前記受信されたサンプルに基づいて前記第2の性能測定値を決定するステップと、
前記制御モジュールによって、前記第2の性能測定値が前記第1の性能測定値よりも大きいかどうかを決定するステップと、
前記第2の性能測定値が前記第1の性能測定値よりも大きいことを決定することに応答して、前記第1のモデムモジュールが前記第2のアンテナを使用して前記第1のプロトコルに従う前記第1の信号を受信するように、前記制御モジュールによって前記第1のアンテナと前記第2のアンテナをスイッチングするステップと
を含む、方法。
【請求項９】
第1のアンテナを使用する第1のプロトコルに従う第1の受信信号および第2のアンテナを使用する第2のプロトコルに従う第2の受信信号を受信することと、前記第2のアンテナを使用する前記第1の受信信号および前記第1のアンテナを使用する前記第2の受信信号を受信することとの間でスイッチングするための回路を備えるワイヤレス端末であって、前記回路が、
前記第1のプロトコルに従う前記第1の受信信号を復調するための手段、および前記第1のアンテナを使用して前記第1のプロトコルに従う前記第1の受信信号を復調することの第1の性能測定値を決定するための手段であって、前記第1の受信信号を復調するための前記手段が、前記第2のアンテナを使用して前記第1のプロトコルに従う前記第1の受信信号を復調することの第2の性能測定値を決定するように動作可能なサーチモジュールを備える、手段と、
前記第2のプロトコルに従う前記第2の受信信号を復調するための手段と、
前記第2のプロトコルに従う前記第2の受信信号を復調するための前記手段に結合され、前記第2のプロトコルに従う前記第2の受信信号のサンプルを記憶し、前記記憶されたサンプルを前記第2のプロトコルに従う前記第2の受信信号を復調するための前記手段に供給するサンプルバッファであって、前記第1のプロトコルに従う前記第1の受信信号を復調するための前記手段の前記サーチモジュールが、前記第2のプロトコルに従う前記第2の受信信号を復調するための前記手段の前記サンプルバッファに結合される、サンプルバッファと、
前記ワイヤレス端末の動作を制御するための手段であって、
前記第2のプロトコルに従う前記第2の受信信号を復調するための前記手段の前記サンプルバッファが、前記第2のアンテナを使用して受信された前記第1のプロトコルに従う前記第1の受信信号のサンプルを記憶するように、前記第1のプロトコルに従う前記第1の受信信号を受信するために、前記第2のアンテナと前記第2のプロトコルに従う前記第2の受信信号を復調するための前記手段との間の受信経路を制御するための手段、
前記第1のプロトコルに従う前記第1の受信信号を復調するための前記手段の前記サーチモジュールに、前記第2のプロトコルに従う前記第2の受信信号を復調するための前記手段の前記サンプルバッファから、前記第1のプロトコルに従う前記第1の受信信号のサンプルを受信させ、前記第2のアンテナを使用して受信された前記受信されたサンプルに基づいて前記第2の性能測定値を決定させるための手段、および
前記第2の性能測定値が前記第1の性能測定値よりも大きいときに、前記第1のプロトコルに従う前記第1の受信信号が前記第2のアンテナを使用して受信され、前記第2のプロトコルに従う前記第2の受信信号が前記第1のアンテナを使用して受信されるように、前記第1のアンテナと前記第2のアンテナのスイッチングを引き起こすための手段
を含む、前記ワイヤレス端末の動作を制御するための手段と
を備える、ワイヤレス端末。
【請求項１０】
前記ワイヤレス端末の動作を制御するための前記手段が、前記第2の受信信号を復調するための前記手段により提供される通信上の影響に基づいて選択される時間において、前記第2のアンテナと前記第1のプロトコルに従う信号を受信するための前記第2のプロトコルに従う前記第2の受信信号を復調するための前記手段との間の前記受信経路を制御するための手段をさらに含む、請求項9に記載のワイヤレス端末。
【請求項１１】
前記サーチモジュールが、現在は前記ワイヤレス端末をサービスしていない基地局から受信された信号を評価するようにさらに構成される、請求項9に記載のワイヤレス端末。
【請求項１２】
前記ワイヤレス端末の動作を制御するための前記手段が、前記第1の性能測定値を閾値と比較するための手段と、前記第1の性能測定値が前記閾値未満であると決定した後、前記サーチモジュールに前記第2の性能測定値を決定させるための手段と、前記第2の性能測定値を前記第1の性能測定値と比較するための手段とをさらに含む、請求項9に記載のワイヤレス端末。